(57)【要約】遠隔監視式不正開封防止電子シールが：シャフト部分と；監視可能に該シャフト部分に係合するべく配置されたソケットであって、該ソケットと該シャフト部分との係合解除が監視すべき出来事に帰着するソケットと；該監視すべき出来事の遠隔監視可能な表示を提供するべく作動する、該シャフト部分と該ソケットとの少なくとも一方に結合された無線発信機と；を具備している。
2005537412.tif 000002
【特許請求の範囲】
【請求項１】
遠隔監視式不正開封防止電子シールであって：
シャフト部分と；
監視可能に該シャフト部分に係合するべく配置されたソケットであって、該ソケットと該シャフト部分との係合解除が監視すべき出来事に帰着するソケットと；
該監視すべき出来事の遠隔監視可能な表示を提供するべく作動する、該シャフト部分と該ソケットとの少なくとも一方に結合された無線発信機と；
を具備する遠隔監視式不正開封防止電子シール。
【請求項２】
該シャフト部分が、該ソケットと該シャフト部分との係合解除に応答して遮断される少なくとも一つの導電路を含んでいて；該無線発信機が該監視すべき出来事の遠隔監視可能な表示を提供するべく作動する；請求項１に記載の遠隔監視式不正開封防止電子シール。
【請求項３】
該シャフト部分が、圧入式先端を有しているこわれやすいシャフト部分を備えていて；
該ソケットが、破損した場合にはずれるように該圧入式先端に係合するべく配置された圧入式ソケットを備えており、従って、該ソケットと該シャフト部分との係合解除が該シャフト部分の破損となっており；
該少なくとも一つの導電路が少なくとも該シャフト部分を通って延伸していて、かつ該シャフト部分の破損に応答して破損するようになっていて；
該無線通信機が、該シャフト部分と該圧入式ソケットとの少なくとも一方に結合されていて、少なくとも一つの導電路の完全性又は完全性欠除の遠隔監視可能な表示を提供するべく作動する；
請求項２に記載の遠隔監視式不正開封防止電子シール。
【請求項４】
該少なくとも一つの導電路が該シャフト部分を通って延伸している導電体により形成されていて、該シャフト部分と該ソケットとが圧入係合している場合、該導電体は該圧入式ソケットに形成された導電体と電気的接触するようになっている、請求項３に記載の遠隔監視式不正開封防止電子シール。
【請求項５】
該無線発信機が検出回路と該シャフト部分と一体に形成された無線発信機ハウジングとに設置されている、請求項３に記載の遠隔監視式不正開封防止電子シール。
【請求項６】
該こわれやすいシャフト部分が、該シャフト部分の他の部分と比較して機械的強度が相対的に弱い少なくとも一つのこわれやすい場所を備えている、請求項３に記載の遠隔監視式不正開封防止電子シール。
【請求項７】
該圧入式先端が歯付き先端を備えている、請求項３に記載の遠隔監視式不正開封防止電子シール。
【請求項８】
該少なくとも一つの導電路が、該ソケットに結合されたマグネットにより作動される少なくとも一つのリードスィッチを備えていて、該シャフト部分がいずれかの理由により該ソケットから分離される場合、該少なくとも一つの導電通路は破断される、請求項３に記載の遠隔監視式不正開封防止電子シール。
【請求項９】
該シャフト部分がロック可能部分を有しているこわれやすいシャフト部分を備えていて；
該ソケットが、破損した場合にはずれるように該ロック可能部分に係合するべく配置されたロックエレメントを備えており、従って、該ロックエレメントと該シャフト部分との係合解除が該シャフト部分の破損となっており；
該少なくとも一つの導電路が少なくとも該シャフト部分を通って延伸していて、かつ該シャフト部分の破損に応答して破損するようになっていて；
該無線通信機が、該シャフト部分と該ソケットとの少なくとも一方に結合されていて、少なくとも一つの導電路の完全性又は完全性欠除の遠隔監視可能な表示を提供するべく作動する；
請求項２に記載の遠隔監視式不正開封防止電子シール。
【請求項１０】
該少なくとも一つの導電路が、該ソケットに結合されたマグネットにより作動される少なくとも一つのリードスィッチを備えていて、該シャフト部分がいずれかの理由により該ソケットから分離される場合、該少なくとも一つの導電通路は破断される、請求項９に記載の遠隔監視式不正開封防止電子シール。
【請求項１１】
該少なくとも一つの導電路が、該ソケットに結合されたマグネットにより作動される少なくとも一つのリードスィッチを備えていて、該シャフト部分がいずれかの理由により該ソケットから分離される場合、該少なくとも一つの導電通路は破断され；該少なくとも一つの導電路が該シャフト部分を通って延伸している導電体により形成されていて、該シャフト部分と該ソケットとがロック係合している場合、該導電体は該ソケットに形成された導電体と電気的接触するようになっている；請求項９に記載の遠隔監視式不正開封防止電子シール。
【請求項１２】
該無線発信機が検出回路と該シャフト部分と一体に形成された無線発信機ハウジングとに設置されている、請求項９に記載の遠隔監視式不正開封防止電子シール。
【請求項１３】
該こわれやすいシャフト部分が、該シャフト部分の他の部分と比較して機械的強度が相対的に弱い少なくとも一つのこわれやすい場所を備えている、請求項９に記載の遠隔監視式不正開封防止電子シール。
【請求項１４】
該シャフト部分が該ロックエレメントにロック係合するようになっている溝を備えている、請求項９に記載の遠隔監視式不正開封防止電子シール。
【請求項１５】
該無線発信機がトランシーバである、請求項１に記載の遠隔監視式不正開封防止電子シール。
【発明の詳細な説明】
【技術分野】
【０００１】
本発明は電子シール（electronic seal）特に不正開封防止電子シール（tamper-resistant electronic seal）に関する。
【背景技術】
【０００２】
以下の米国特許が従来技術の代表的なものである。
【０００３】
すなわち特許文献１−１１である。
【特許文献１】米国特許第４７５０１９７号明細書
【特許文献２】米国特許第５０５６８３７号明細書
【特許文献３】米国特許第５０９７２５３号明細書
【特許文献４】米国特許第５１２７６８７号明細書
【特許文献５】米国特許第５１６９１８８号明細書
【特許文献６】米国特許第５１８９３９６号明細書
【特許文献７】米国特許第５４０６２６３号明細書
【特許文献８】米国特許第５４２１１７７号明細書
【特許文献９】米国特許第５５８７７０２号明細書
【特許文献１０】米国特許第５６５６９９６号明細書
【特許文献１１】米国特許第６０６９５６３号明細書
【発明の開示】
【発明が解決しようとする課題】
【０００４】
本発明は改善した電子シールを提供することである。
【課題を解決するための手段】
【０００５】
本発明の好適な実施形態において、遠隔監視式不正開封防止電子シールが：シャフト部分と；監視可能に該シャフト部分に係合するべく配置されたソケットであって、該ソケットと該シャフト部分との係合解除が監視すべき出来事に帰着するソケットと；該監視すべき出来事の遠隔監視可能な表示を提供するべく作動する、該シャフト部分と該ソケットとの少なくとも一方に結合された無線発信機と；を具備している。好ましくは、該無線発信機はトランシーバである。さらに、該シャフト部分が、該ソケットと該シャフト部分との係合解除に応答して遮断される少なくとも一つの導電路を含んでいて；該無線発信機が該監視すべき出来事の遠隔監視可能な表示を提供するべく作動する。
【０００６】
本発明における好適な他の実施形態において、該シャフト部分が圧入式先端を有しているこわれやすいシャフト部分を備えていて；該ソケットが、破損した場合にはずれるように該圧入式先端に係合するべく配置された圧入式ソケットを備えており、従って、該ソケットと該シャフト部分との係合解除が該シャフト部分の破損となっており；該少なくとも一つの導電路が、少なくとも該シャフト部分を通って延伸していて、該シャフト部分の破損に応答して破損するようになっていて；該無線通信機が、該シャフト部分と該圧入式ソケットの少なくとも一方と結合されていて、少なくとも一つの導電路の完全性又は完全性欠除の遠隔監視可能な表示を提供するべく作動する。好ましくは、該少なくとも一つの導電路が該シャフト部分を通って延伸している導電体により形成されていて、該シャフト部分と該ソケットとが圧入係合している場合、該導電体は該圧入式ソケットに形成された導電体と電気的接触するようになっている。さらに該圧入式先端が歯付き先端を備えている。該少なくとも一つの導電路が、該ソケットに結合されたマグネットにより作動される少なくとも一つのリードスィッチを備えていて、該シャフト部分がいずれかの理由により該ソケットから分離される場合、該少なくとも一つの導電通路は破断される。
【０００７】
本発明における好適なさらに別の実施形態において、該シャフト部分がロック可能部分を有しているこわれやすいシャフト部分を備えていて；該ソケットが、破損した場合にはずれるように該ロック可能部分に係合するべく配置されたロックエレメントを備えており、従って、該ロックエレメントと該シャフト部分との係合解除が該シャフト部分の破損となっており；該少なくとも一つの導電路が、少なくとも該シャフト部分を通って延伸していて、該シャフト部分の破損に応答して破損するようになっていて；該無線通信機が、該シャフト部分と該ソケットの少なくとも一方と結合されていて、少なくとも一つの導電路の完全性又は完全性欠除の遠隔監視可能な表示を提供するべく作動する。好ましくは該シャフト部分が該ロックエレメントにロック係合するようになっている溝を備えている。さらに、該少なくとも一つの導電路が、該ソケットと結合されたマグネットにより作動される少なくとも一つのリードスィッチを備えていて、該シャフト部分がいずれかの理由により該ソケットから分離される場合、該少なくとも一つの導電通路は破断される。
【０００８】
本発明における好適なさらなる実施形態において、該無線発信機が検出回路と該シャフト部分と一体に形成された無線発信機ハウジングとに設置されている。好ましくは、該こわれやすいシャフト部分が、該シャフト部分の他の部分と比較して機械的強度が相対的に弱い少なくとも一つのこわれやすい場所を備えている。
【発明を実施するための最良の形態】
【０００９】
本発明は、添付図面を用いた以下の詳細な説明で、より詳しく理解することができる。
図１Ａ及び１Ｂは、本発明の好適な実施形態により作られ作動可能な圧入式電子シールの組立における二つのステージを例示しているものである。
【００１０】
図１Ａ及び１Ｂにおいて、好ましくはシャフト部分１０を備えた不正開封防止電子シールが図示されていて、シャフト部分１０は検出回路及びトランシーバ部分１２と一体に形成あるいは固定されている。シャフト部分１０は、好ましくはほぼ円筒状形状であって、圧入式先端１４で終点となっていて、好ましくは一連の円周歯１６が形成されていて、円周面１６は、ソケット１８に形成された対応する歯状溝と圧入係合するようになっている。シャフト部分１０の先端１４と、ソケット１８との間の圧入係合は、好ましくはシャフト部分１０が破損しないかぎり先端１４はソケット１８から外れることが不可能なようになっている。
【００１１】
シャフト部分１０は、好ましくは、検出回路及びトランシーバ部分１２と、先端１４との間に配置された、弱められたこわれやすい部分２０を含んでいる。こわれやすい部分２０は、好ましくは先端１４というよりは検出回路及びトランシーバ部分１２に近接して配置されていて、通常シャフト部分１０の他の部分より薄くなっている。
【００１２】
導電ループ２２が、好ましくはシャフト部分１０を先端１４へ向けて貫通して、シャフト部分１０に形成され取り付けられていて、シャフト部分１０の破損が導電ループ２２の断線あるいは電気特性の著しい変化をもたらすようになっている。
【００１３】
本発明における好適な実施形態において、検出回路２３及びＲＦトランシーバ２４は、検出回路及びトランシーバ部分１２の中に収容されている。検出回路２３は、電気的に導電ループ２２と連結されていて、その完全性を検出するようになっている。検出回路２３から出力を受信するのはトランシーバ２４であって、トランシーバ２４は、導電ループ２２が完全であるかどうかを表示する伝送された情報を提供するべく作動可能である。従来形の無線モニタ回路（図示されていない）が、ＲＦトランシーバ２４により伝送された情報を受信するために、かつシャフト部分１０の破損であるシールを用いた不正開封を表示するために使用されてもよい。
【００１４】
図２Ａ及び２Ｂは、図１Ａ及び図１Ｂにおける圧入式電子シールに発生した二つの異なるタイプの破損を例示している。前述したように、ソケット１８からシャフト部分１０を分離するために、図２Ａ及び２Ｂにおけるシールに力を作用しても、まずシャフト部分１０が破損しない限り、先端１４をソケット１８からはずすことはできない。図２Ａは、シャフト部分１０に沿った先端１４真上に位置する場所での破損を図示している。この破損は導電ループ２２における断線あるいは電気的特性の著しい変化をもたらすことが理解される。
【００１５】
図２Ｂはシャフト部分１０に沿ったこわれやすい部分２０における破損を図示している。この破損も導電ループ２２における断線あるいは電気的特性の著しい変化をもたらすことが理解される。
【００１６】
図３Ａ及び３Ｂは、本発明の好適な実施形態により作られ作動可能なロック式電子シールの組立におけるステージを例示しているものである。
【００１７】
図３Ａ及び３Ｂにおいて、好ましくはシャフト部分３０を備えた形の再利用可能なロック式不正開封防止電子シールが図示されていて、シャフト部分３０は検出回路及びトランシーバ部分３２と一体に形成あるいは固定されている。シャフト部分３０は、好ましくはほぼ円筒状形状であって、ロック式先端３４で終点となっていて、好ましくはアンダーカット溝３６が形成されていて、アンダーカット溝３６は、ロック４０の部品を形成している対応するロックエレメント３８とロック係合するようになっていて、そのロック４０はソケットを形成しマグネット４１を含んでいる。ロック４０は、キー作動ロックとして図示されているけれど、他の適切なタイプのロックが使用されてもよい。シャフト部分３０の先端３４と、ロックエレメント３８との間のロック係合は、好ましくはシャフト部分３０が破損しないかぎり先端３４はロックエレメント３８から外れることが不可能なようになっている。
【００１８】
シャフト部分３０は、好ましくは、検出回路及びトランシーバ部分３２と、先端３４との間に配置された、弱められたこわれやすい部分４２を含んでいる。こわれやすい部分４２は、好ましくは先端３４というよりは検出回路及びトランシーバ部分３２に近接して配置されていて、通常シャフト部分３０の他の部分より薄くなっている。
【００１９】
導電ループ４４は、シャフト３０がロック４０とロック係合している場合マグネット４１により閉となる直列に接続されたリードスィッチ４５を含んでいて、導電ループ４４は、好ましくはシャフト部分３０を先端３４へ向けて貫通して、シャフト部分３０に形成され取り付けられていて、シャフト部分３０の破損が導電ループ４４の断線あるいは電気特性の著しい変化をもたらすようになっている。
【００２０】
本発明における好適な実施形態において、検出回路４６及びＲＦトランシーバ４８は、検出回路及びトランシーバ部分３２の中に収容されている。検出回路４６は、電気的に導電ループ４４と連結されていて、その完全性を検出するようになっている。検出回路４６から出力を受信するのはトランシーバ４８であって、トランシーバ４８は、導電ループ４４が完全であるかどうかを表示する伝送された情報を提供するべく作動可能である。従来形の無線モニタ回路（図示されていない）が、ＲＦトランシーバ４８により伝送された情報を受信するために、かつシャフト部分３０がロック４０とロック係合位置にある場合と、シャフト部分３０が、シャフト部分３０の破損であるシールを用いた不正開封にもとずき、又はロック４０を解除するためにキーを使用することによるシャフト部分３０とロック４０との係合解除にもとずきロック４０から分離している場合とを表示するために使用されてもよい。リードスィッチ５０及びマグネット４１を準備することにより；シャフト部分３０がロック４０とロック係合位置にある場合と、シャフト部分３０がいずれの理由にしろロック４０から分離している場合とを、検出回路４６が検出することを可能にしていて；シャフト部分３０とロック４０との係合及び係合解除を記録することが可能となっていることが理解されるであろう。
【００２１】
図４Ａ及び４Ｂは、図３Ａ及び図３Ｂにおけるロック式電子シールに発生した二つの異なるタイプの破損を例示している。前述したように、ロックエレメント３８からシャフト部分３０を分離するために、図４Ａ及び４Ｂにおけるシールに力を作用しても、まずシャフト部分３０が破損しない限り、先端３４をロックエレメント３８からはずすことはできない。図４Ａは、シャフト部分３０に沿った先端３４真上に位置する場所での破損を図示している。この破損は導電ループ４４における断線あるいは電気的特性の著しい変化をもたらすことが理解される。
【００２２】
図４Ｂはシャフト部分４２に沿ったこわれやすい部分４２における破損を図示している。この破損も導電ループ４４における断線あるいは電気的特性の著しい変化をもたらすことが理解される。
【００２３】
図３Ａ−４Ｂの例示の実施形態に使用されているハードスィッチ及びマグネットは図１Ａ−２Ｂの実施形態に使用することもできることが理解されるであろう。
【００２４】
図５Ａ及び５Ｂは、本発明の好適な他の実施形態により作られ作動可能な圧入式電子シールの組立における二つのステージを例示しているものである。
【００２５】
図５Ａ及び５Ｂにおいて、好ましくはシャフト部分５０を備えた不正開封防止電子シールが図示されていて、シャフト部分５０は検出回路及びトランシーバ部分５２と一体に形成あるいは固定されている。シャフト部分５０は、好ましくはほぼ円筒状形状であって、圧入式先端５４で終点となっていて、好ましくは一連の円周歯５６が形成されていて、円周面１６は、ソケット５８に形成された対応する歯状溝と圧入係合するようになっている。シャフト部分５０の先端５４と、ソケット５８との間の圧入係合は、好ましくはシャフト部分５０が破損しないかぎり先端５４はソケットから外れることが不可能なようになっている。
【００２６】
シャフト部分５０は、好ましくは、検出回路及びトランシーバ部分５２と、先端５４との間に配置された、弱められたこわれやすい部分６０を含んでいる。こわれやすい部分６０は、好ましくは先端５４というよりは検出回路及びトランシーバ部分５２に近接して配置されていて、通常シャフト部分５０の他の部分より薄くなっている。
【００２７】
一対の細長い導電体６２及び６４が、好ましくはシャフト部分５０を先端５４へ向けて貫通して、シャフト部分５０に形成され取り付けられていて、シャフト部分５０の破損が導電体６２及び６４の少なくとも一方又は好ましくは両方の断線あるいは電気特性の著しい変化をもたらすようになっている。好ましくは、導電体６２及び６４はそれぞれの接点６６及び６８と導電していて、それらの接点６６及び６８は先端５４の端部において露出しており、かつシャフト部分５０が完全にソケット５８の中に圧入され従って導電ループが形成される場合、ソケット５８の対応する内部表面において電気的短絡接点７０と電気的係合するべく配置されている。
【００２８】
本発明における好適な実施形態において、検出回路７１及びＲＦトランシーバ７２は、検出回路及びトランシーバ部分５２の中に収容されている。検出回路７１は、電気的に導電体６２及び６４と連結されていて、シャフト部分５０が完全にソケット５８に着座した場合導電体６２及び６４により形成される導電ループの完全性を検出するようになっている。検出回路７１から出力を受信するのはトランシーバ７２であって、トランシーバ７２は、導電ループが完全であるかどうかを表示する伝送された情報を提供するべく作動可能である。従来形の無線モニタ回路（図示されていない）が、ＲＦトランシーバ７２により伝送された情報を受信するために、かつシャフト部分５０の破損をもたらすシールのタンパを表示するために使用されてもよい。
【００２９】
図６Ａ及び６Ｂは、図５Ａ及び図５Ｂにおける圧入式電子シールに発生した二つの異なるタイプの破損を例示している。前述したように、ソケット５８からシャフト部分５０を分離するために、図６Ａ及び６Ｂにおけるシールに力を作用しても、まずシャフト部分５０が破損しない限り、先端５４をソケット５８からはずすことはできない。図６Ａは、シャフト部分５０に沿った先端５４真上に位置する場所での破損を図示している。この破損は導電体６２及び６４により形成される導電ループにおける断線あるいは電気的特性の著しい変化をもたらすことが理解される。
【００３０】
図６Ｂはシャフト部分５０に沿ったこわれやすい部分６０における破損を図示している。この破損も導電体６２及び６４により形成される導電ループにおける断線あるいは電気的特性の著しい変化をもたらすことが理解される。
【００３１】
図７Ａ及び７Ｂは、本発明の好適な他の実施形態により作られ作動可能なロック式電子シールの組立におけるステージを例示しているものである。
【００３２】
図７Ａ及び７Ｂにおいて、好ましくはシャフト部分８０を備えたロック式不正開封防止電子シールが図示されていて、シャフト部分８０は検出回路及びトランシーバ部分８２と一体に形成あるいは固定されている。シャフト部分８０は、好ましくはほぼ円筒状形状であって、ロック式先端８４で終的となっていて、好ましくはアンダーカット溝８６が形成されていて、アンダーカット溝３６は、ロック９０の部品を形成している対応するロックエレメント８８とロック係合するようになっていて、そのロック９０はソケットを形成しマグネット９１を含んでいる。ロック９０は、キー作動ロックとして図示されているけれど、他の適切なタイプのロックが使用されてもよい。シャフト部分８０の先端８４と、ロックエレメント８８との間のロック係合は、好ましくはシャフト部分８０が破損しないかぎり先端はロックエレメント８８から外れることが不可能なようになっている。
【００３３】
シャフト部分８０は、好ましくは、検出回路及びトランシーバ部分８２と、先端８４との間に配置された、弱められたこわれやすい部分９２を含んでいる。こわれやすい部分９２は、好ましくは先端８４というよりは検出回路及びトランシーバ部分８２に近接して配置されていて、通常シャフト部分８０の他の部分より薄くなっている。
【００３４】
少なくとも一方は、シャフト部分８０がロック９０とロック係合する場合マグネット９１により閉じられる直列に接続されたリードスィッチ９８を含んでいる、一対の細長い導電体９４及び９６が、好ましくはシャフト部分８０を先端８４へ向けて貫通して、シャフト部分８０に形成され取り付けられていて、シャフト部分８０の破損が導電体９４及び９６の少なくとも一方又は好ましくは両方の断線あるいは電気特性の著しい変化をもたらすようになっている。好ましくは、導電体９４及び９６はそれぞれの接点１０２及び１０４と導電していて、それらの接点１０２及び１０４は先端８４の端部において露出しており、かつシャフト部分８０がロック９０とロック係合する場合の対応するロック９０の内部表面において電気的短絡接点１０６と電気的係合するべく配置されている。この電気的係合は、マグネット９１により直接に接続されたリードスィッチ９８の閉とともに、導電ループを形成する。
【００３５】
本発明における好適な実施形態において、検出回路１０８及びＲＦトランシーバ１１０は、検出回路及びトランシーバ部分８２の中に収容されている。検出回路１０８は、電気的に導電体９４及び９６と連結されていて、シャフト部分がロック９０とロック係合した場合導電体９４及び９６により形成される導電ループの完全性を検出するようになっている。検出回路１０８から出力を受信するのはトランシーバ１１０であって、トランシーバ１１０は、導電ループが完全であるかどうかを表示する伝送された情報を提供するべく作動可能である。ＲＦトランシーバ１１０により伝送された情報を受信するために、かつシャフト部分８０がロック９０とロック係合位置にある場合と、シャフト部分８０が、シャフト部分８０の破損をもたらすシールとのタンパにもとずき、又はロック９０を解除するためにキーを使用することによるシャフト部分８０とロック９０との係合解除にもとずきロック９０から分離している場合とを表示するために、従来形の無線モニタ回路（図示されていない）が使用されてもよい。リードスィッチ９８及びマグネット９１を準備することにより；シャフト部分８０がロック９０とロック係合位置にある場合と、シャフト部分８０がいずれの理由にしろロック９０から分離している場合とを、検出回路１０８が検出することを可能にしていて；シャフト部分８０とロック９０との係合及び係合解除を記録することが可能となっていることが理解されるであろう。
【００３６】
図８Ａ及び８Ｂは、図７Ａ及び図７Ｂにおけるロック式電子シールに発生した二つの異なるタイプの破損を例示している。前述したように、ロックエレメント８８からシャフト部分８０を分離するために、図８Ａ及び８Ｂにおけるシールに力を作用しても、まずシャフト部分８０が破損しない限り、先端８４をソケット８８からはずすことはできない。図８Ａは、シャフト部分８０に沿った先端８４真上に位置する場所での破損を図示している。この破損は導電体９４及び９６により形成される導電ループにおける断線あるいは電気的特性の著しい変化をもたらすことが理解される。
【００３７】
図８Ｂはシャフト部分８０に沿ったこわれやすい部分９２における破損を図示している。この破損も導電体９４及び９６により形成される導電ループにおける断線あるいは電気的特性の著しい変化をもたらすことが理解される。
【００３８】
図７Ａ−８Ｂにおける例示の実施形態に図示したリードスィッチ及びマグネットは、図５Ａ−６Ｂにおける実施形態に使用されてもよい。
【００３９】
本発明は詳細に前述したものに限定されるものではないことが当業者において理解されるであろう。本発明の範囲は、前述の種々の実施形態の組合せ及び明細書を読むことにより当業者において思いつく変更と修正とを含んでいる。
【図面の簡単な説明】
【００４０】
【図１Ａ】図１Ａは、本発明の好適な実施形態により作られ作動可能な圧入式電子シールの組立におけるステージを例示しているものである。
【図１Ｂ】図１Ｂは、本発明の好適な実施形態により作られ作動可能な圧入式電子シールの組立におけるステージを例示しているものである。
【図２Ａ】図２Ａは、図１Ａ及び１Ｂにおける圧入式電子シールに発生する破損を例示しているものである。
【図２Ｂ】図２Ｂは、図１Ａ及び１Ｂにおける圧入式電子シールに発生する破損を例示しているものである。
【図３Ａ】図３Ａは、本発明の好適な実施形態により作られ作動可能なロック式電子シールの組立におけるステージを例示しているものである。
【図３Ｂ】図３Ｂは、本発明の好適な実施形態により作られ作動可能なロック式電子シールの組立におけるステージを例示しているものである。
【図４Ａ】図４Ａは、図３Ａ及び３Ｂにおけるロック式電子シールに発生する破損を例示しているものである。
【図４Ｂ】図４Ｂは、図３Ａ及び３Ｂにおけるロック式電子シールに発生する破損を例示しているものである。
【図５Ａ】図５Ａは、本発明の好適な他の実施形態により作られ作動可能な圧入式電子シールの組立におけるステージを例示しているものである。
【図５Ｂ】図５Ｂは、本発明の好適な他の実施形態により作られ作動可能な圧入式電子シールの組立におけるステージを例示しているものである。
【図６Ａ】図６Ａは、図５Ａ及び５Ｂにおける圧入式電子シールに発生する破損を例示しているものである。
【図６Ｂ】図６Ｂは、図５Ａ及び５Ｂにおける圧入式電子シールに発生する破損を例示しているものである。
【図７Ａ】図７Ａは、本発明の好適な他の実施形態により作られ作動可能なロック式電子シールの組立におけるステージを例示しているものである。
【図７Ｂ】図７Ｂは、本発明の好適な他の実施形態により作られ作動可能なロック式電子シールの組立におけるステージを例示しているものである。
【図８Ａ】図８Ａは、図７Ａ及び７Ｂにおけるロック式電子シールに発生する破損を例示しているものである。
【図８Ｂ】図８Ｂは、図７Ａ及び７Ｂにおけるロック式電子シールに発生する破損を例示しているものである。
2005537412.tif 000003
2005537412.tif 000004
2005537412.tif 000005
2005537412.tif 000006
2005537412.tif 000007
2005537412.tif 000008
2005537412.tif 000009
2005537412.tif 000010
【国際調査報告】
2005537412.tif 000011